(57)【要約】【課題】任意に設定された設定目標濃度に応じて風量切換しきい値を設定し、余分な過剰換気を行うことなく、ユーザーの室内環境に応じた換気風量で換気を行うことができる空調用換気装置を提供する。【解決手段】室内空気から炭酸ガス濃度を検知し、かつ検知した炭酸ガス濃度と風量切換しきい値とを比較し、その結果の情報を送出する炭酸ガスセンサー１４と、炭酸ガスセンサー１４からの情報に従って給気用送風機及び排気用送風機の風量を制御する制御部２０とを備え、炭酸ガスセンサー１４は、設定目標濃度に応じて当該設定目標濃度より低い風量切換しきい値を設定し、過去の最大炭酸ガス濃度を記憶し、設定目標濃度と記憶した最大炭酸ガス濃度から差分値を算出し、その差分値を基に風量切換しきい値を補正する。【選択図】図１
2014095532.tif 000002
【特許請求の範囲】
【請求項１】
外気を給気風路を介して吸込み室内に給気する給気用送風機と、
室内空気を排気風路を介して吸い込み外部へ排気する排気用送風機と、
室内空気から炭酸ガス濃度を検知し、かつ検知した炭酸ガス濃度と風量切換しきい値とを比較し、その結果の情報を送出する炭酸ガスセンサーと、
前記炭酸ガスセンサーからの情報に従って前記給気用送風機及び前記排気用送風機の風量を制御する制御部とを備え、
前記炭酸ガスセンサーは、設定目標濃度に応じて当該設定目標濃度より低い風量切換しきい値を設定し、過去の最大炭酸ガス濃度を記憶し、前記設定目標濃度と記憶した最大炭酸ガス濃度から差分値を算出し、その差分値を基に前記風量切換しきい値を補正することを特徴とする空調用換気装置。
【請求項２】
前記風量切換しきい値は、少なくとも、強風量と弱風量の切換しきい値と、前記切換しきい値より低い弱風量と微弱風量の切換しきい値とに分けられ、
前記炭酸ガスセンサーは、前記差分値を前記各切換しきい値に加算して補正することを特徴とする請求項１記載の空調用換気装置。
【請求項３】
前記炭酸ガスセンサーは、前記排気風路内の室内空気の吸込み側に設置されていることを特徴とする請求項１又は２記載の空調用換気装置。
【請求項４】
前記制御部は、前記炭酸ガスセンサーからの情報が入力されている間、当該情報に従って前記給気用送風機及び前記排気用送風機の風量を制御することを特徴とする請求項１乃至３の何れか一項に記載の空調用換気装置。
【請求項５】
前記炭酸ガスセンサーは、前記炭酸ガス濃度が前記設定目標濃度を超えたときに、前記風量切換しきい値を補正前の風量切換しきい値に戻すことを特徴とする請求項１乃至４の何れか一項に記載の空調用換気装置。
【請求項６】
室内に設置された人感センサーを備え、
前記制御部は、前記人感センサーで室内の人が検知されたときに、前記給気用送風機及び前記排気用送風機を運転し、前記炭酸ガスセンサーからの情報に従って風量を制御することを特徴とする請求項１乃至５の何れか一項に記載の空調用換気装置。
【請求項７】
前記給気風路を流れる外気を前記排気風路を流れる室内空気とで熱交換する熱交換素子を備えたことを特徴とする請求項１乃至６の何れか一項に記載の空調用換気装置。
【発明の詳細な説明】
【技術分野】
【０００１】
本発明は、室内の炭酸ガス濃度に応じて換気を行う空調用換気装置に関するものである。
【背景技術】
【０００２】
従来から、空調機のエネルギーを低減するとともに、快適な空気調和を行うために、給気ファンによって室外から室内へ導入される給気と、排気ファンによって室内から室外へ排出される排気との間で熱交換を行わせ、温度差を低減した給気を室内へ導くようにした熱交換型換気装置が用いられている。
【０００３】
事務所ビルなどでは、室内にいる人数の増減に応じて、室内の空気汚れの度合いは大きく異なる。通常、事務所ビルなどの換気設計は室内の在室率が100％状態で室内の炭酸ガス濃度が一定値以下となるように換気設計されているが、実際の室内の在室率は文献などの調査によると、50〜70％がほとんどであり、換気風量は例えば壁面に設置されたリモコンによって、ある風量に固定され設定されることが多い。このため、多人数が室内にいる場合には、室内の空気が汚れるという問題がある。また、早朝や夜間の時間帯では少人数或いは全然人がいない場合においては、過剰換気を行うことは空調負荷の増大となり、省エネ上好ましくない。
【０００４】
換気を壁面に設置されたリモコンでタイマーを設定し、換気運転を制御する場合もある。タイマーの設定内容は、運転のＯＮ／ＯＦＦ、風量切換であり、それぞれを設定しタイマーによる自動換気運転をする。実際は、１日の時間帯ごとに室内の人数を想定し、運転のＯＮ／ＯＦＦ、風量切換を設定するが、在室人数に応じた最適風量での換気の運転設定が難しく、過剰換気で外気負荷の増大に伴う空調機の消費エネルギーの増大または過少換気で炭酸ガス濃度の増大による室内の空気環境の汚染につながるという課題がある。
【０００５】
室内へ炭酸ガスセンサーを設置し、室内の炭酸ガス濃度が炭酸ガスセンサーの濃度しきい値以上になったら換気扇を運転あるいは換気風量を多くし、室内の炭酸ガス濃度が炭酸ガスセンサーの濃度しきい値以下となったら換気扇の運転を停止あるいは換気風量を少なくする制御方法がある。しかし、炭酸ガスセンサーの濃度しきい値はユーザーが目標としたい室内濃度ではなく、換気運転・停止あるいは換気風量を切換えるしきい値となるため、ユーザーが目標としたい室内濃度以下で適切な換気風量で制御することは困難であった。例えば、換気風量を抑制し省エネ性を向上させるため炭酸ガスセンサーの濃度しきい値を大きくすると、室内の炭酸ガス濃度が高い状況にあるにもかかわらず換気運転しないあるいは過少換気で炭酸ガス濃度の増大による室内の空気環境の汚染につながるという課題があった。一方で、室内の炭酸ガス濃度を一定値（例えば、建築物衛生法の基準値1000ppm）以下に保ちたいために炭酸ガスセンサーの濃度しきい値を低く設定すると、室内の炭酸ガス濃度が十分に低いにもかかわらず常時換気運転し、その結果、過剰換気で外気負荷の増大に伴う空調機の消費エネルギーの増大につながるという課題があった。
【０００６】
空調機と連動運転する熱交換型換気装置においては、快適な空気環境を提供し、換気による外気負荷を低減させ、空調機の省エネを図るために、室内の炭酸ガスを検知する炭酸ガスセンサーを室内に設置し、炭酸ガスの濃度に応じて熱交換型換気装置の風量を制御する技術が提案されている（例えば、特許文献１参照）。
【０００７】
また、室内の炭酸ガスを検知する炭酸ガスセンサーを熱交換型換気装置の内部に設置し、炭酸ガスの濃度に応じて熱交換型換気装置の風量を制御する技術が提案されている（例えば、特許文献２参照）。
．
【先行技術文献】
【特許文献】
【０００８】
【特許文献１】特許第３５５１１２４号公報
【特許文献２】特開平９−１５９２０８号公報
【発明の概要】
【発明が解決しようとする課題】
【０００９】
しかしながら、前述した特許文献１の技術では、炭酸ガスセンサーによる風量制御を実施しても風量切換のための炭酸ガス濃度のしきい値が固定されているため、ユーザーが目標としたい室内の炭酸ガス濃度以下で換気風量を制御することが困難である。
【００１０】
また、特許文献２の技術では、熱交換型換気装置の内部に炭酸ガスセンサーが設置されているため、熱交換型換気装置の運転中は室内の炭酸ガス濃度が正確に検知可能であるが、熱交換型換気装置の停止中は、室内の炭酸ガス濃度の正確な検知が難しいため、炭酸ガス濃度に応じて自動的に換気をＯＮ／ＯＦＦすることや適切な風量制御が不可能である。
【００１１】
本発明は、前述のような課題を解決するためになされたものであり、任意に設定された設定目標濃度に応じて風量切換しきい値を設定し、余分な過剰換気を行うことなく、ユーザーの室内環境に応じた換気風量で換気を行うことができる空調用換気装置を提供することを目的とする。
【課題を解決するための手段】
【００１２】
本発明に係る空調用換気装置は、外気を給気風路を介して吸込み室内に給気する給気用送風機と、室内空気を排気風路を介して吸い込み外部へ排気する排気用送風機と、室内空気から炭酸ガス濃度を検知し、かつ検知した炭酸ガス濃度と風量切換しきい値とを比較し、その結果の情報を送出する炭酸ガスセンサーと、炭酸ガスセンサーからの情報に従って給気用送風機及び排気用送風機の風量を制御する制御部とを備え、炭酸ガスセンサーは、設定目標濃度に応じて当該設定目標濃度より低い風量切換しきい値を設定し、過去の最大炭酸ガス濃度を記憶し、設定目標濃度と記憶した最大炭酸ガス濃度から差分値を算出し、その差分値を基に風量切換しきい値を補正する。
【発明の効果】
【００１３】
本発明によれば、炭酸ガスセンサーは、設定目標濃度に応じて当該設定目標濃度より低い風量切換しきい値を設定し、過去の最大炭酸ガス濃度を記憶し、設定目標濃度と記憶した最大炭酸ガス濃度から差分値を算出し、その差分値を基に風量切換しきい値を補正するようにしている。このため、ユーザーの室内環境の炭酸ガス濃度を統計的に把握しながら、余分な過剰換気を抑制することができ、ユーザーの室内環境に応じた換気風量で換気を行うことができる。また、ユーザーの室内環境に応じた換気風量で換気を行うことができるため、空調機の空調負荷を低減させ省エネを促進することができる。
【図面の簡単な説明】
【００１４】
【図１】実施の形態１に係る空調用換気装置の内部構成を簡略化して示す断面図である。
【図２】実施の形態１に係る空調用換気装置における換気風量と炭酸ガス濃度との関係を示す図である。
【図３】図２において風量切換しきい値の補正に伴う換気風量と炭酸ガス濃度との関係を示す図である。
【図４】実施の形態１に係る空調用換気装置において炭酸ガス濃度が設定目標濃度を超えたときの換気風量と炭酸ガス濃度との関係を示す図である。
【図５】実施の形態２に係る空調用換気装置の内部構成を簡略化して示す断面図である。
【図６】実施の形態３に係る空調用換気装置の内部構成を簡略化して示す断面図である。
【発明を実施するための形態】
【００１５】
実施の形態１．
図１は実施の形態１に係る空調用換気装置の内部構成を簡略化して示す断面図である。なお、符号ＯＡは外気（Outdoor Air）、符号ＳＡは給気（Supply Air）、符号ＲＡは還気（Return Air）、符号ＥＡは排気（Exhaust Air）を示している。
【００１６】
図１に示す空調用換気装置は、外観が板金でできた直方体状の筐体１によって形成され、内部に熱交換素子６を有する熱交換型換気装置である。この空調用換気装置１３は、天井１８の内側に隠蔽された状態で設置されている。空調用換気装置１３は、前述の熱交換素子６の他に、筐体１の長手方向の一端面に縦方向に設けられた排気吐出口１０及び外気吸込口７と、その一端面と対向する他端面に縦方向に設けられた給気吐出口８及び室内空気吸込口９と、外気吸込口７及び給気吐出口８を熱交換素子６を介して結ぶ給気風路１１と、室内空気吸込口９及び排気吐出口１０を熱交換素子６を介して結ぶ排気風路１２と、給気用送風機３及び排気用送風機５と、炭酸ガスセンサー１４と、リモコン１７と、給気用送風機３及び排気用送風機５の風量を制御する制御部２０とを備えている。
【００１７】
給気風路１１は、外気ＯＡを室内へ給気ＳＡするための風路で、外気吸込口７と熱交換素子６との間に形成された外気熱交換前風路１１ａと、熱交換素子６と給気吐出口８との間に形成された外気熱交換後風路１１ｂとを有している。排気風路１２は、室内空気（還気ＲＡ）を室外へ排気ＥＡするための風路で、室内空気吸込口９と熱交換素子６との間に形成された室内空気熱交換前風路１２ａと、熱交換素子６と排気吐出口１０との間に形成された室内空気熱交換後風路１２ｂとを有している。この構成により、給気風路１１と排気風路１２は、熱交換素子６で交差している。
【００１８】
給気用送風機３は、外気熱交換後風路１１ｂ内で給気吐出口８と連結され、内部に給気用モータ２を備えている。排気用送風機５は、室内空気熱交換後風路１２ｂ内で排気吐出口１０と連結され、内部に排気用モータ４を備えている。給気用モータ２と排気用モータ４は、制御部２０からの制御に応じて回転速度が可変する。給気風路１１及び排気風路１２には、外気ＯＡや還気ＲＡに含まれる埃などの目詰まりによる熱交換素子６の性能低下を防止するためのエアフィルター１５、１６が取り外しに自在に設置されている。
【００１９】
熱交換素子６は、平板紙上に波板紙（コルゲートシート）を接着して形成された平板状の給気通路と、同様に平板紙上に波板紙（コルゲートシート）を接着して形成された平板状の排気通路とが互いに直交するように多数積層されたものであり、給気風路１１を通過する給気ＳＡと排気風路１２を通過する排気ＥＡとの間で熱交換を行なう。
【００２０】
リモコン１７は、運転のＯＮ／ＯＦＦ、風量の切換、換気モードの切換、運転タイマーの設定などが可能になっている。また、リモコン１７は、ユーザーによって設定目標濃度が選択されたときには、その設定目標濃度を炭酸ガスセンサー１４に制御部２０を介して入力する。
【００２１】
炭酸ガスセンサー１４は、室内空気熱交換前風路１２ａに設置され、室内空気の炭酸ガス濃度を検知する。筐体１の内部に炭酸ガスセンサー１４を設置することは、制御部２０と炭酸ガスセンサー１４を接続する制御線を最短長にできるなど施工コストを削減するために最適である。なお、炭酸ガスセンサー１４を室内空間に設置し、制御線を制御部２０に接続して制御する方法もある(図５参照)。
【００２２】
制御部２０は、筐体１にメンテナンスできる位置に配置され、炭酸ガスセンサー１４からの情報、即ち、炭酸ガス濃度が弱風量と微弱風量の切換しきい値以下の情報が入力されたときに、微弱風量運転となるように給気用モータ２と排気用モータ４の運転を制御する。また、制御部２０は、炭酸ガス濃度が弱風量と微弱風量の切換しきい値以上で、強風量と弱風量の切換しきい値以下のときには、弱風量運転となるように給気用モータ２と排気用モータ４の運転を制御する。更に、制御部２０は、炭酸ガス濃度が強風量と弱風量の切換しきい値を超えたときには、強風量運転となるように給気用モータ２と排気用モータ４の運転を制御する。
【００２３】
この風量制御により、室内の空気環境を快適に維持しつつ、換気による外気負荷を低減させることが可能となるので、空調機の省エネ化を図ることができる。また、無駄な換気がなくなり必要な換気量を満足させるだけ空調用換気装置１３を運転すればよいので、空調用換気装置自体の消費電力の低減にもなる。
【００２４】
次に、炭酸ガス濃度に応じた風量制御について図２、図３及び図４を用いて説明する。
図２は実施の形態１に係る空調用換気装置における換気風量と炭酸ガス濃度との関係を示す図、図３は図２において風量切換しきい値の補正に伴う換気風量と炭酸ガス濃度との関係を示す図、図４は実施の形態１に係る空調用換気装置において炭酸ガス濃度が設定目標濃度を超えたときの換気風量と炭酸ガス濃度との関係を示す図である。
【００２５】
現在、建築物衛生法にて炭酸ガス（二酸化炭素）濃度の上限値とする設定目標濃度が建築物の使用目的に応じて定められている。例えば、延べ面積3000ｍ２以上の建屋においては、1000ppm以下と定められている。図２、図３及び図４においては、炭酸ガス濃度の検知による風量制御は、建築物衛生法で定められている1000ppmを設定目標濃度とした場合であるが、これは限定されるものではない。
【００２６】
リモコン１７にて「風量自動制御」を選択すると、炭酸ガスセンサー１４は、室内の炭酸ガス濃度を検知するためのセンシング動作を開始する。短時間で安定した室内の炭酸ガス濃度を炭酸ガスセンサー１４で検知させる必要があるため、空調用換気装置１３の最大風量の強風量が最適であるが、安定した炭酸ガス濃度を検知できればこの限りではない。
【００２７】
炭酸ガスセンサー１４には、設定目標濃度とその設定目標濃度に応じて設定された風量切換しきい値とを有している。設定目標濃度は、ユーザーが目標としたい室内の炭酸ガス濃度であり、炭酸ガス濃度の検知に応じて換気の風量制御を行う場合、超えてはならない値である。例えば、炭酸ガスセンサー１４は、リモコン１７の操作により設定目標濃度1000ppmが選択された場合、室内の炭酸ガス濃度が1000ppm以下になるように、その設定目標濃度に応じた風量切換しきい値を設定する。風量切換しきい値は、室内の炭酸ガス濃度が設定目標濃度より低くなるように設定された値である。
【００２８】
例えば、設定目標濃度を1000ppmと選択した場合は、強風量と弱風量の切換しきい値は800ppm、弱風量と微弱風量の切換しきい値は700ppmと自動で設定される。つまり、炭酸ガスセンサー１４は、設定目標濃度が1000ppmと選択された場合、強風量と弱風量の切換しきい値を800ppm、弱風量と微弱風量の切換しきい値を700ppmと自動的に設定する。
【００２９】
炭酸ガスセンサー１４は、設定目標濃度を複数保有しており、ユーザーが空調用換気装置１３を使用する環境に応じて設定が可能になっている。例えば、設定目標濃度が1500ppm、1000ppm、800ppmと選択可能である。炭酸ガスセンサー１４は、設定目標濃度を1500ppmと選択された場合、強風量と弱風量の切換しきい値を1300ppm、弱風量と微弱風量の切換しきい値を1000ppmと自動的に設定する。また、炭酸ガスセンサー１４は、設定目標濃度が800ppmと選択された場合、強風量と弱風量の切換しきい値を600ppm、弱風量と微弱風量の切換しきい値を400ppmと自動的に設定する。
【００３０】
図２は設定目標濃度を1000ppmと選択した場合の風量制御を示している。強風量と弱風量の切換しきい値は800ppm、弱風量と微弱風量の切換しきい値は700ppmと自動設定され、700ppm以下では微弱風量運転、701ppm〜800ppmは弱風量運転、801ppmを超えた場合には強風量運転となり、室内の炭酸ガス濃度を検知することで３段階の風量切換制御が可能となっている。
【００３１】
前述したように、炭酸ガスセンサー１４が空調用換気装置１３の室内空気熱交換前風路１２ａに設置されており（図１参照）、リモコン１７にて「風量自動制御」を選択した場合、炭酸ガスセンサー１４による風量自動制御は、室内の炭酸ガス濃度が低濃度であっても、運転を停止することなく最低風量（微弱風量）で連続運転する。つまり、炭酸ガスセンサー１４は炭酸ガス濃度のセンシング動作を常時行っている。これは、空調用換気装置１３が天井１８内に隠蔽設置されているため、運転を停止した場合、空調用換気装置１３内部に風が流れなくなり、室内空気熱交換前風路１２ａに設置された炭酸ガスセンサー１４で室内の炭酸ガス濃度を正確に検知できないためである。なお、室内空気熱交換前風路１２ａに設置された炭酸ガスセンサー１４が室内の炭酸ガス濃度を検知可能であれば、連続運転以外に間欠運転でもよい。
【００３２】
炭酸ガスセンサー１４は、炭酸ガス濃度のセンシング動作を行っているときに、過去の最大炭酸ガス濃度を記憶し、記憶した最大炭酸ガス濃度を参照して各切換しきい値を自動的に補正する。
【００３３】
風量の切換しきい値を自動的に補正する機能について、図２と図３にて説明する。
図２では、室内の最大炭酸ガス濃度が900ppmである。この最大炭酸ガス濃度の情報を記憶しておき、設定目標濃度1000ppmと比較し、差分値の100ppm（設定目標濃度1000ppm −最大炭酸ガス濃度が900ppm）を強風量と弱風量の切換しきい値の800ppmに加算し、差分値の100ppmを弱風量と微弱風量の切換しきい値の700ppmに加算する。風量の切換しきい値を自動的に補正する期間は、過去の最大炭酸ガス濃度の情報を記憶する期間と同じであり、期間は任意に設定可能である。例えば、風量の切換しきい値を１週間間隔で補正する場合は、過去１週間の最大炭酸ガス濃度を記憶し、風量の切換しきい値を１ヶ月間隔で補正する場合は、過去１ヶ月の最大炭酸ガス濃度を記憶し、記憶した最大炭酸ガス濃度と設定目標濃度との差分値を風量の切換しきい値に加算して補正する。
【００３４】
次に、風量の切換しきい値を補正した場合の風量動作について図３を用いて説明する。
図２に示す風量の切換しきい値と比較すると、強風量と弱風量の切換しきい値は800→900ppm、弱風量と微弱風量の切換しきい値は700→800ppmと補正されるため、微弱風量と弱風量での運転時間が長くなり、強風量の運転時間が短くなっている。
【００３５】
従来の制御では、炭酸ガスセンサー１４による風量制御を実施しても風量の切換しきい値が固定されているため、室内の在室率パターンに応じた換気ができず過剰換気となり、余分な換気負荷が発生して空調負荷になっている場合があった。本実施の形態においては、過去の室内の最大炭酸ガス濃度を記憶することで、設定目標濃度との差分値を算出して風量の切換しきい値を補正するため、ユーザーの室内環境の炭酸ガス濃度を統計的に把握しながら、余分な過剰換気を抑制することができ、ユーザーの室内環境に応じた換気風量で換気を行うため、空調機の空調負荷を低減させ省エネ化を促進することができる。
【００３６】
次に、設定目標濃度に対して過去の最大炭酸ガス濃度が低かった場合の風量制御について図４を用いて説明する。
過去の最大炭酸ガス濃度が低かった場合は、設定目標濃度1000ppmに対し、強風量と弱風量の切換しきい値が1150ppm、弱風量と微弱風量の切換しきい値が950ppmとなることもある。このような場合、室内の在室率が低い場合は微弱風量でも室内の炭酸ガス濃度を設定目標濃度1000ppm以下の環境を維持可能である。しかし、室内の在室率が急に高くなった場合は、微弱風量の運転では換気量が足りず、室内の炭酸ガス濃度を設定目標濃度1000ppm以下の環境を維持できなくなる。換気量が足りず、室内の炭酸ガス濃度が設定目標濃度1000ppmを超えてしまった場合は、強風量と弱風量の切換しきい値を800ppm、弱風量と微弱風量の切換しきい値を700ppmのデフォルト設定に変更する(図２参照)。変更後は、炭酸ガス濃度が800ppmを超えている状況であれば強風量で運転するため、室内の炭酸ガス濃度は低下する。
【００３７】
以上のように実施の形態１によれば、室内の炭酸ガス濃度を検知して過去の最大炭酸ガス濃度を記憶し、記憶した最大炭酸ガス濃度と設定目標濃度との差分値を算出して風量の切換しきい値を補正するようにしている。このため、ユーザーの室内環境の炭酸ガス濃度を統計的に把握しながら、余分な過剰換気を抑制することができ、ユーザーの室内環境に応じた換気風量で換気を行うことができる。また、ユーザーの室内環境に応じた換気風量で換気を行うことができるため、空調機の空調負荷を低減させ省エネ化を促進することができる。
【００３８】
実施の形態２．
図５は実施の形態２に係る空調用換気装置の内部構成を簡略化して示す断面図である。なお、実施の形態１で説明した図１と同様の部分には同じ符号を付している。
実施の形態２においては、実施の形態１と異なる構成として、炭酸ガスセンサー１４を室内空間に設置していることである。この場合、炭酸ガスセンサー１４が室内空間に設置されているため、空調用換気装置１３の室内空気熱交換前風路１２ａに炭酸ガスセンサー１４を設置する場合と比べ、空調用換気装置１３の運転が停止しても室内空間の炭酸ガス濃度を正確に検知できる。なお、炭酸ガスセンサー１４の機能、及び炭酸ガス濃度に応じて給気用モータ２と排気用モータ４の運転を制御する点は実施の形態１と同様である。
【００３９】
以上のように実施の形態２によれば、炭酸ガスセンサー１４が室内空間に設置されているので、空調用換気装置１３の運転が停止しても室内空間の炭酸ガス濃度を正確に検知できる。また、室内空気熱交換前風路１２ａに設置された炭酸ガスセンサー１４で室内の炭酸ガス濃度を正確に検知するために必要な連続運転や間欠運転といったセンシング動作が不要となるため、さらなる換気運転の時間の削減が可能となり、外気負荷の低減による空調機の省エネ効果を増加させることができる。
【００４０】
実施の形態３．
図６は実施の形態３に係る空調用換気装置の内部構成を簡略化して示す断面図である。なお、実施の形態１で説明した図１と同様の部分には同じ符号を付している。
実施の形態３においては、実施の形態１と異なる構成として、天井１８に人感センサー１９を設置していることである。人感センサー１９は、制御線を介して制御部２０に接続され、室内の人を感知したときには、その情報を制御部２０に送出する。制御部２０は、人感センサー１９からの人感知の情報が入力されたときに空調用換気装置１３を運転し、運転中はさらに室内空気熱交換前風路１２ａに設置された炭酸ガスセンサー１４からの情報に従って給気用モータ２と排気用モータ４の運転を制御する。人感センサー１９が室内の人を感知しない場合、空調用換気装置１３は停止する。なお、炭酸ガスセンサー１４の機能については実施の形態１と同様である。また、空調用換気装置１３と運転連動する機器は人感センサー１９だけに限らず、人を感知できるセンサーであれば何れでもよい。
【００４１】
炭酸ガスセンサー１４が空調用換気装置１３内部に設置された事例では、人感センサー１９がない場合は、室内に人がいるかいないかわからないため、炭酸ガスセンサー１４にて室内炭酸ガス濃度を正確に検知するために必要な連続運転や間欠運転といったセンシング動作が必要となっていた。
しかし、本実施の形態３のように人感センサー１９がある場合は、室内に人がいる時のみ空調換気装置１３を運転させるため、炭酸ガスセンサー１４にて室内の炭酸ガス濃度を正確に検知するために必要な連続運転や間欠運転といったセンシング動作が不要となる。このため、さらなる換気運転の時間の削減が可能となり、外気負荷の低減による空調機の省エネ効果を増加させることができる。
【００４２】
なお、実施の形態１、２、３では、空調用換気装置１３を熱交換型換気装置として説明したが、熱交換素子６を持たない換気装置に適用できることはいうまでもない。
【符号の説明】
【００４３】
１  筐体、２  給気用モータ、３  給気用送風機、４  排気用モータ、５  排気用送風機、６  熱交換素子、７  外気吸込口、８  給気吐出口、９  室内空気吸込口、１０  排気吐出口、１１  給気風路、１１ａ  外気熱交換前風路、１１ｂ  外気熱交換後風路、１２  排気風路、１２ａ  室内空気熱交換前風路、１２ｂ  室内空気熱交換後風路、１３  空調用換気装置、１４  炭酸ガスセンサー、１５、１６  エアフィルター、１７  リモコン、１８  天井、１９  人感センサー、２０  制御部。
【図１】
2014095532.tif 000003
【図２】
2014095532.tif 000004
【図３】
2014095532.tif 000005
【図４】
2014095532.tif 000006
【図５】
2014095532.tif 000007
【図６】
2014095532.tif 000008